(57)【要約】【課題】サーモスタットを取り付ける必要なく、異常な温度上昇を確実に防いで極めて安全に使用することができると共に、コスト安に且つ容易に製作することができ、しかも、無駄な放熱を防いで効率の良い暖房を行うことで節電することができるだけでなく、フローリングの床に設置しても良好な外観を保つことができる実用性に秀れた暖房畳を提供すること。【解決手段】温度を自己制御可能なヒーター部１と、このヒーター部１を嵌入可能な嵌合凹部２ａを上部に有する断熱材２とから成る暖房部を設けた畳体３を、枠体４内に複数並設状態に配設し、前記夫々の畳体３に設けたヒーター部１の電源コード１ａのコネクタ１ｂを接続する制御部５を前記枠体４に設けたものである。【選択図】　　　　図２
2004143768.tif 000002
【特許請求の範囲】
【請求項１】
温度を自己制御可能なヒーター部と、このヒーター部を嵌入可能な嵌合凹部を上部に有する断熱材とから成る暖房部を設けた畳体を、枠体内に複数並設状態に配設し、前記夫々の畳体に設けたヒーター部の電源コードのコネクタを接続する制御部を前記枠体に設けたことを特徴とする暖房畳。
【請求項２】
前記ヒーター部を嵌入した断熱材の上部に合板を配設し、この合板の上部には畳表を配設し、この断熱材と合板及び畳表の側部を畳縁で被うことで、前記暖房部を具備した畳体とし、この畳体から前記ヒーター部の電源コードを外部に導出してこの電源コードのコネクタを接続する制御部を前記枠体に設けたことを特徴とする請求項１記載の暖房畳。
【請求項３】
前記ヒーター部は、プラスチック絶縁体に導電性物質を添加することで、半導電性の電気的特性を付与した定温電線により構成したことを特徴とする請求項１，２のいずれか１項に記載の暖房畳。
【発明の詳細な説明】
【０００１】
【発明の属する技術分野】
本発明は、暖房畳に関するものである。
【０００２】
【従来の技術及び発明が解決しようとする課題】
従来の暖房畳は、畳の内部にニクロム線等の電熱線を巡らし、この電熱線に電流を流すことで発生する熱により暖房を行うのが一般的である。
【０００３】
ところで、この電熱線は電流が流れている間は温度が上昇し続けるため、単純に電源をＯＦＦにする以外の何らかの手段で制御しなければ、誤って異常な温度上昇を招いてしまう場合もある。
【０００４】
そこで、従来の暖房畳は、所定温度未満では導電状態とし、所定温度以上で絶縁状態とすることで流れる電流を制御して温度を制御する装置（サーモスタット）を取り付けることで、誤って異常な温度上昇が起こることを防いでいる。
【０００５】
しかし、このサーモスタットが故障した場合には、異常な温度上昇を防止できず、火傷や火災につながるおそれがあるのが現状である。
【０００６】
本発明は、上述のような現状に鑑み、温度を自己制御可能なヒーター部と、このヒーター部を嵌入可能な嵌合凹部を上部に有する断熱材とから成る暖房部を設けた畳体を、枠体内に複数並設状態に配設し、前記夫々の畳体に設けたヒーター部の電源コードのコネクタを接続する制御部を前記枠体に設けたことで、サーモスタットを取り付ける必要なく、異常な温度上昇を確実に防いで極めて安全に使用することができると共に、コスト安に且つ容易に製作することができ、しかも、無駄な放熱を防いで効率の良い暖房を行うことで節電することができるだけでなく、フローリングの床に設置しても良好な外観を保つことができる実用性に秀れた暖房畳を提供するものである。
【０００７】
【課題を解決するため手段】
添付図面を参照して本発明の要旨を説明する。
【０００８】
温度を自己制御可能なヒーター部１と、このヒーター部１を嵌入可能な嵌合凹部２ａを上部に有する断熱材２とから成る暖房部を設けた畳体３を、枠体４内に複数並設状態に配設し、前記夫々の畳体３に設けたヒーター部１の電源コード１ａのコネクタ１ｂを接続する制御部５を前記枠体４に設けたことを特徴とする暖房畳に係るものである。
【０００９】
また、前記ヒーター部１を嵌入した断熱材２の上部に合板６を配設し、この合板６の上部には畳表７を配設し、この断熱材２と合板６及び畳表７の側部を畳縁８で被うことで、前記暖房部を具備した畳体３とし、この畳体３から前記ヒーター部１の電源コード１ａを外部に導出してこの電源コード１ａのコネクタ１ｂを接続する制御部５を前記枠体４に設けたことを特徴とする請求項１記載の暖房畳に係るものである。
【００１０】
また、前記ヒーター部１は、プラスチック絶縁体に導電性物質を添加することで、半導電性の電気的特性を付与した定温電線により構成したことを特徴とする請求項１，２のいずれか１項に記載の暖房畳に係るものである。
【００１１】
【発明の実施の形態】
好適と考える本発明の実施の形態（発明をどのように実施するか）を、図面に基づいてその作用効果を示して簡単に説明する。
【００１２】
畳体３により床暖房を行う際、温度を自己制御可能なヒーター部１によって暖房を行うから、サーモスタットがなくてもヒーター部１の温度を自動的に制御し、異常な温度上昇を確実に防いで極めて安全に使用することができる。
【００１３】
また、サーモスタットの取り付けを必要としないから、従来の暖房畳よりコスト安に且つ容易に製作することができる。
【００１４】
更に、このヒーター部１は断熱材２の上部の嵌合凹部２ａに嵌入したから、畳体３の裏面への無駄な放熱を阻止して、この畳体３の表面だけを効率良く暖房することができる。
【００１５】
その上、この畳体３は、ヒーター部１の電源コード１ａのコネクタ１ｂを前記枠体４に設けた制御部５に接続したから、逐次この制御部５によってヒーター部１が制御され、適切な温度で運転できると共に、節電することができる。
【００１６】
また、前記畳体３を枠体４内に複数並設状態に配設し、前記夫々の畳体３に設けたヒーター部１の電源コード１ａのコネクタ１ｂを前記枠体４に設けた制御部５に接続したから、畳体３を単体で設置する場合より外観がすっきりとし、フローリングの床に設置した場合でも外観を損なわなず、そして、畳体３に熱を付与することで危惧される畳体３の反りを枠体４で可及的に防止することができる。
【００１７】
従って、本発明は、サーモスタットを取り付ける必要なく、異常な温度上昇を確実に防いで極めて安全に使用することができると共に、コスト安に且つ容易に製作することができ、しかも、無駄な放熱を防いで効率の良い暖房を行うことで節電することができるだけでなく、フローリングの床に設置しても良好な外観を保つことができる実用性に秀れた暖房畳を提供できることとなる。
【００１８】
【実施例】
本発明の具体的な実施例について説明する。
【００１９】
本実施例は、温度を自己制御可能なヒーター部１と、このヒーター部１を嵌入可能な嵌合凹部２ａを上部に有する断熱材２とから成る暖房部を設けた畳体３を、枠体４内に複数並設状態に配設し、前記夫々の畳体３に設けたヒーター部１の電源コード１ａのコネクタ１ｂを接続する制御部５を前記枠体４に設けたものである。
【００２０】
具体的には本実施例の畳体３は、図１に図示したように、上面に設けた嵌合凹部２ａに、温度を自己制御可能なヒーター部１を嵌入し、下面にはＰＰシート９を設けた断熱材２の上面を合板６で閉塞し、この合板６の上面にはクッション材１２を敷設してその上に更に畳表７を敷設し、この断熱材２と合板６とクッション材１２及び畳表７の側縁部を畳縁８で被ったものであり、前記ヒーター部１の電源コード１ａを外部に導出してこの電源コード１ａのコネクタ１ｂを前記制御部５に接続し得るように構成したものである。
【００２１】
各部を更に具体的に説明すると、ヒーター部１は、プラスチック絶縁体に導電性物質を添加して半導電性の電気的特性を付与した定温電線をパネル状に形成したものである。
【００２２】
このヒーター部１の前記電源コード１ａは、前記断熱材２を通じて外部に導出している。
【００２３】
定温電線は、プラスチック絶縁体に導電性物質を添加したケーブル状の発熱体と、この発熱体周面の対角線上に設けた一対の導線とをジャケットで被覆したものである。
【００２４】
尚、本実施例においては、放熱性を重視して前記定温電線は上述のように構成したが、前記ジャケットに更にシールド及び外部ジャケットを被覆しても良い。
【００２５】
また、定温電線は、この定温電線の製作時に予め任意の出力に設定することができるように構成されている。
【００２６】
この定温電線は、温度の自己制御が可能であり、最高上限温度以上には温度が上がらない特性を持つもので、発熱体部分が温度によって、導電性を変化させて電流の流れを増加させたり、減少させたりするものである。
【００２７】
定温電線の作動原理は具体的には、この定温電線の周囲の温度が低い状態では、発熱体のプラスチック分子（ポリマー）が収縮することで、発熱体の導電率が向上して多くの電流が流れて発熱量が増加することになり、時間が経ちこの定温電線の周囲の温度が上昇すると、ポリマーが膨張することで、導電性が低下して流れる電流が少なくなり、自動的に発熱量が減少するものである。
【００２８】
更に、この定温電線は、ある温度以上に周囲の温度が上昇した場合、ポリマーが膨張して抵抗値が大きくなり、電流を制御するという特性も持つ。
【００２９】
また、この定温電線は、上述したようにプラスチック絶縁体に導電性物質を添加したものであるから、前記ポリマーが架橋結合し、柔軟性に秀れたものとなり、作業性良く容易にパネル化することができ、また、耐久性にも秀れたものとなり、冬季のみ使用するのであれば、パネル化したもので耐用年数は推定２４〜３６年程度となる。
【００３０】
断熱材２は、直方体形状のウレタン製で、この上面の中央部には、縁部から所定距離離して嵌合穴が形成され、この嵌合穴が嵌合凹部２ａに設定されている。
【００３１】
枠体４は木製で、図２に図示したように、この枠体４内を前記畳体３を収納する収納部４ａ（本実施例においては三畳分）と、前記電源コード１ａを前記制御部５と接続する接続部４ｂとに分けて構成したものである。
【００３２】
また、この収納部４ａと接続部４ｂとの間には、前記畳体３をがたつきなく固定するための固定部４ｃを設けている。
【００３３】
接続部４ｂには、前記ヒーター部１の電源コード１ａのコネクタ１ｂを接続する電源供給コネクタ４ｄを設け、前記畳体３の夫々の電源コード１ａはこの電源供給コネクタ４ｄでまとめて、一本のコードにして前記制御部５に接続するように構成した。
【００３４】
尚、この接続部４ｂの上部開口部には、蓋体１０を設けている。
【００３５】
制御部５は、前記接続部４ｂに固定状態に設け、家庭用ＡＣ電源に接続するコンセント１１を設けた構成としている。
【００３６】
また、この制御部５は、前記畳体３のヒーター部１の電源のＯＮ／ＯＦＦ，暖房を行う畳の切り替え（選択），暖房の強弱，タイマーによる自動停止を行うことができるように構成した。
【００３７】
尚、暖房の強弱の設定については、強に設定した場合には、電源を入れてから所定温度に達してもヒーター部１をＯＮし続け、弱に設定した場合には、所定温度に達したらヒーター部１を５分間ＯＦＦし、その後５分間ＯＮすることを順に繰り替えすこととしている。
【００３８】
従って、本実施例は上述のように構成したから、図３に図示したような暖房畳を、フローリングの床に設置する置き畳とし、この畳体３によって暖房を行う際、温度を自己制御可能なヒーター部１によって暖房を行うから、サーモスタットがなくてもヒーター部１の温度を自動的に制御し、異常な温度上昇を確実に防いで極めて安全に使用することができる。
【００３９】
また、サーモスタットの取り付けを必要としないから、従来の暖房畳よりコスト安に且つ容易に製作することができる。
【００４０】
また、このヒーター部１は、このヒーター部１を構成する定温電線の製作時に予め任意の出力に設定することができるから、複数の畳体３でも容易に設定温度を合わせることができる。
【００４１】
更に、このヒーター部１は断熱材２の上面の嵌合凹部２ａに嵌入したから、畳体３の裏面への無駄な放熱を阻止して、畳体３の表面だけを効率良く暖房することができる。
【００４２】
その上、この畳体３は、ヒーター部１の電源コード１ａのコネクタ１ｂを前記枠体４に設けた制御部５に接続したから、逐次この制御部５によってヒーター部１のＯＮ／ＯＦＦが行われることで、常に適切な温度で運転できると共に、節電することができる。
【００４３】
その上更に、このヒーター部１は柔軟性に秀れた定温電線によって構成したから、作業性よく製作でき、しかも、耐久性にも秀れるため、上述した秀れた安全性と相俟って極めて信頼性の高いものとなる。
【００４４】
また、周囲の温度の変化によって発熱量が増減されるということは、寒い時には発熱量を増加させ、暖かい時には自ら発熱量を減少させる機能を持ち、エネルギーの節減効果に秀れていることになる。
【００４５】
しかも、畳体３を木製の枠体４に複数並設状態で収納して電源コード１ａを枠体４の制御部５にまとめて接続し、このまとめた電源コード１ａが外部から見えないように蓋体１０を設けたから、外観がすっきりとしてフローリングの床に設置した場合でも外観を損なわず、そして、畳体３に熱を付与することで危惧される畳体３の反りを枠体４で可及的に防止することができる。
【００４６】
また、しかも、この枠体４も前記断熱材２の嵌合凹部２ａにより畳体３からの熱が伝わらないから、加熱による反りを可及的に防止することができる。
【００４７】
更に、前記畳体３の下面にはＰＰシート９が設けられているから、フローリング等の傷つきやすい床でも傷をつけずに快適に使用することができる。
【００４８】
従って、本実施例は、サーモスタットを取り付ける必要なく、異常な温度上昇を確実に防いで極めて安全に使用することができると共に、コスト安に且つ容易に製作することができ、しかも、前記ヒーター部の設定温度を容易に合わせて畳体を製作でき、無駄な放熱を防いで効率の良い暖房を行うことで節電することができるだけでなく、フローリングの床に設置しても良好な外観を保つことができる実用性に秀れたものとなる。
【００４９】
尚、本実施例をフローリング等の滑りやすい床に設置する場合には、前記枠体４の裏面に滑り止めを設けることで、安定性が向上してより一層快適に使用することができる。
【００５０】
同様に、前記枠体４の裏面に弾性部材を設けることで、暖房畳を設置する床が傷つきにくくなり一層快適に使用することができる。
【００５１】
【発明の効果】
本発明は上述のように構成したから、サーモスタットを取り付ける必要なく、異常な温度上昇を確実に防いで極めて安全に使用することができると共に、コスト安に且つ容易に製作することができ、しかも、無駄な放熱を防いで効率の良い暖房を行うことで節電することができるだけでなく、フローリングの床に設置しても良好な外観を保つことができる実用性に秀れた暖房畳となる。
【００５２】
また、請求項３に記載の発明においては、複数の畳体の設定温度を容易に合わせて製作することができ、しかも、作業性と耐久性並びにエネルギーの節減効果に秀れることで、より一層実用性に秀れた暖房畳となる。
【図面の簡単な説明】
【図１】本実施例の説明断面図である。
【図２】本実施例の説明平面図である。
【図３】本実施例の使用状態図である。
【符号の説明】
１　ヒーター部
１ａ　電源コード
１ｂ　コネクタ
２　断熱材
２ａ　嵌合凹部
３　畳体
４　枠体
５　制御部
６　合板
７　畳表
８　畳縁
【図１】
2004143768.tif 000003
【図２】
2004143768.tif 000004
【図３】
2004143768.tif 000005